(57)【要約】【課題】  簡単な引っ張り操作によりテンプルに対する前枠の傾斜角度を変えることができ、しかも変更した所定の傾斜角度で前枠をテンプルに確実に固定保持できる多焦点用眼鏡フレームを提供する。【解決手段】  前枠４の外側に固着したよろい５に、テンプル７が上下回動機構８を介して真直に伸びた位置から下方向に回動可能に取り付けられている多焦点用眼鏡フレームであって、前枠４側に設けられた係止爪１９と、テンプル７側に上下回動機構８の回動支軸３０を中心とする円弧状に配設され、係止爪１９が選択的に係合する複数の係合溝２３，２４，２５と、該係合溝に係合した係止爪１９を係合状態に付勢する押しばね２７とからなり、押しばね２７に抗してテンプル７を引っ張って係止爪１９を係合溝から離脱させ、別の係合溝に係合させることによって、前枠４に対してテンプル７を真直に伸ばした位置と、下方向に一定角度傾斜した位置とに固定保持する係止装置を備えている。【選択図】      図１０
2006317817.tif 000002
【特許請求の範囲】
【請求項１】
左右のレンズ枠と、該両レンズ枠の内側を連結するブリッジとからなる前枠の外側に、上下回動機構を介してテンプルが真直に伸びた位置から下方向に回動可能に取り付けられている多焦点用眼鏡フレームであって、
前記上下回動機構が、前記前枠に対して前記テンプルを真直に伸ばした位置と、下方向に一定角度傾斜した位置とに固定保持する係止装置を備えていることを特徴とする多焦点用眼鏡フレーム。
【請求項２】
前記係止装置が、
前記前枠側に設けられた係止爪と、
前記テンプル側に前記上下回動機構の回動軸を中心とする円弧状に配設され、前記係止爪が選択的に係合する複数の係合溝と、
該係合溝に係合した前記係止爪を係合状態に付勢する押しばねとからなり、
前記押しばねに抗して前記テンプルを引っ張って前記係止爪を前記係合溝から離脱させ、別の前記係合溝に係合させることによって、前記前枠に対して前記テンプルを真直に伸ばした位置と、下方向に一定角度傾斜した位置とに固定保持できるように構成されている請求項１記載の多焦点用眼鏡フレーム。
【請求項３】
前記係止装置が、
前記前枠の外側に取り付けられ、後方へ延びる長孔を有し、かつ後端部に係止爪が突設されている係止部材と、
前記テンプルの前端部に設けられ、前記係止部材を収容する凹部と、
前記凹部の後端部に設けられ、前記係止爪が選択的に係合する複数の係合溝と、
前記テンプルの前端部に横向きに配設され、かつ、前記凹部に収容された前記係止部材の前記長孔を貫通して前記テンプルに取り付けられた回動軸と、
前記長孔に収容され、前記回動軸に押接する押しばねと、を備えており、
前記複数の係合溝は、前記回動軸を中心とする円弧状に配設されていて、前記係合溝のひとつに係合した前記係止爪を前記押しばねにより係合状態に付勢されていると共に、該押しばねに抗して前記テンプルを引っ張って前記係止爪を前記係合溝から離脱させ、別の前係合溝記に係合させることによって、前記前枠に対して前記テンプルを真直に伸ばした位置と、下方向に一定角度傾斜した位置とに固定保持できるように構成されている多焦点用眼鏡フレーム。
【請求項４】
前記係止部材が、前記前枠の両端に固着したよろいに取り付けるヒンジ部を兼ねる構造を有している請求項１記載の多焦点用眼鏡フレーム。
【発明の詳細な説明】
【技術分野】
【０００１】
本発明は、遠近両用レンズなどの多焦点レンズを装着する多焦点用眼鏡フレームに関するものである。
【背景技術】
【０００２】
多焦点レンズは、上半部と下半部に分けてそれぞれ異なる焦点を持ったレンズを複合して一体化したものであり、例えば遠近両用レンズを眼鏡フレームに装着して使用する際、上半部の遠方用レンズ部を使用する場合には、レンズのほぼ中心部分に視線を合わせて見るので、あまり支障はないが、下半部の近点用（老眼用）レンズ部を使用する場合には、視線を極度に下向きに変えるため目の疲れの原因になっていた。
【０００３】
このような不都合を解消するため、左右のレンズ枠を含む前枠の外側に、上下回動機構を介してテンプルが真直に伸びた位置から下方向に回動可能に取り付けられ、テンプルに対してレンズ枠の傾斜角度を変えることにより、近点用（老眼用）レンズ部を使用する場合でも、できるだけ視線の向きを変えることなく使用できるようにした多焦点用眼鏡フレームは、例えば特許文献１、特許文献２等により知られている。
【０００４】
しかし、上記従来の多焦点用眼鏡フレームは、テンプルに対する前枠（すなわちレンズ枠）の傾斜角度を下向きに変えて近点用（老眼用）レンズ部を使用しているときに、テンプルが前枠に対して真直に伸びた通常の使用状態に戻ってしまうことがあった。
【特許文献１】特開昭５８−９３０２９号公報
【特許文献２】実開昭６２−１９０２１８号公報
【発明の開示】
【発明が解決しようとする課題】
【０００５】
本発明は、上記事情に鑑みてなされたもので、簡単な引っ張り操作によりテンプルに対する前枠の傾斜角度を変えることができ、しかも変更した所定の傾斜角度で前枠をテンプルに確実に固定することができる多焦点用眼鏡フレームを提供することを目的とする。
【課題を解決するための手段】
【０００６】
上記目的を達成するために、本発明は、左右のレンズ枠と、該両レンズ枠の内側を連結するブリッジとからなる前枠の外側に、上下回動機構を介してテンプルが真直に伸びた位置から下方向に回動可能に取り付けられている多焦点用眼鏡フレームであって、前記上下回動機構が、前記前枠に対して前記テンプルを真直に伸ばした位置と、下方向に一定角度傾斜した位置とに固定保持する係止装置を備えていることを特徴とする。
【０００７】
前記係止装置は、前記前枠側に設けられた係止爪と、前記テンプル側に前記上下回動機構の回動軸を中心とする円弧状に配設され、前記係止爪が選択的に係合する複数の係合溝と、該係合溝に係合した前記係止爪を係合状態に付勢する押しばねとからなり、前記押しばねに抗して前記テンプルを引っ張って前記係止爪を前記係合溝から離脱させ、別の前記係合溝に係合させることによって、前記前枠に対して前記テンプルを真直に伸ばした位置と、下方向に一定角度傾斜した位置とに固定保持できるように構成されている。
【０００８】
より具体的には、前記係止装置が、前記前枠の外側に取り付けられ、後方へ延びる長孔を有し、かつ後端部に係止爪が突設されている係止部材と、前記テンプルの前端部に設けられ、前記係止部材を収容する凹部と、前記凹部の後端部に設けられ、前記係止爪が選択的に係合する複数の係合溝と、前記テンプルの前端部に横向きに配設され、かつ、前記凹部に収容された前記係止部材の前記長孔を貫通して前記テンプルに取り付けられた回動軸と、前記長孔に収容され、前記回動軸に押接する押しばねと、を備えており、前記複数の係合溝は、前記回動軸を中心とする円弧状に配設されていて、前記係合溝のひとつに係合した前記係止爪を前記押しばねにより係合状態に付勢されていると共に、該押しばねに抗して前記テンプルを引っ張って前記係止爪を前記係合溝から離脱させ、別の前係合溝記に係合させることによって、前記前枠に対して前記テンプルを真直に伸ばした位置と、下方向に一定角度傾斜した位置とに固定保持できるように構成されている。
【０００９】
上記構成の多焦点用眼鏡フレームにおいて、前記係止部材は、前記前枠の両端に固着したよろいに取り付けるヒンジ部を兼ねる構造とすることができる。
【発明の効果】
【００１０】
上記の構成を有する本発明によれば、前枠に対してテンプルを引っ張って少し傾けるだけの簡単な操作により、テンプルに対する前枠の傾斜位置を変えることができる。しかも、変更した所定の傾斜角度で前枠をテンプルに固定保持できるので、遠方用、近点用のいずれのレンズ部を使用する場合でも前枠の傾斜角度が変わるおそれがなく、常に快適に使用することができる。
【発明を実施するための最良の形態】
【００１１】
以下、本発明の実施の形態を図面に基づいて説明する。
【００１２】
図１及び図２は、本発明による眼鏡フレーム１を遠近両用眼鏡に使用した例を示しており、左右のレンズ枠２，２と両レンズ枠２，２の内側を連結するブリッジ３とからなる前枠４の両端外側に固着したよろい５，５にヒンジ６，６を介して左右のテンプル７，７が内側に折畳み自在に連結して眼鏡フレーム１とした構成は、通常の眼鏡フレームと同じであるが、よろい５，５とテンプル７，７と間に前枠４に対してテンプル７，７を真直に伸ばした位置から下方向に回動可能の上下回動機構部８，８が設けられている。
【００１３】
レンズ９は、遠方用レンズ部９ａの中心部より下方寄りに近点用レンズ部９ｂを複合して一体に形成した遠近両用レンズである。
【００１４】
よろい５は、図３ないし図５に示すように、一端にレンズ枠２の取付け部１０を有し、他端にヒンジ６を構成する凹部１１とねじ軸１３の取付孔１２が設けられている。
【００１５】
上下回動機後部８は、よろい５の凹部１１とテンプル７の前端部分に組み付けられる係止部材１５を含んでいる。該係止部材１５は、係止装置の主要構成部品であり、図４及び図６に示すように、一端に凹部１１に嵌挿する円筒部１６を有し、該円筒部１６の側面にテンプル７側へ延びる支持アーム部１７が設けられており、よろい５の凹部１１に嵌挿した円筒部１６と取付孔１２にねじ軸１３を挿通して、ヒンジ６が形成されている。
【００１６】
一方、支持アーム部１７は、途中からやや下向きに傾斜して後方（テンプル側）へ延びている。該支持アーム部１７には、中央部位から後方へ延びる長孔１８が設けられ、後端部に係止爪１９が突設されている。
【００１７】
テンプル７の前端部分の内側面には、図８に示すように、係止部材１５の支持アーム部１７を収容する凹部２０が設けられ、該凹部２０を設けた前端部分に後述する回動支持軸３０の取付用ねじ孔２１が横方向に貫通して設けられている。凹部２０は内奥が拡がっていて、後端部の側壁面２２に支持アーム部１７の係止爪１９を選択的に係合する３つの係合溝２３，２４及び２５が取付孔２１を中心とする円弧状に配列して設けられている。図示の実施形態においては、各係合溝２３，２４及び２５はそれぞれ、８度ずつ位相を異にして設けられている。
【００１８】
凹部２０に収容される支持アーム部１７の長孔１８には、図４に示すように、回動支軸３０が貫通するリング体２６と押しばね２７が嵌め込まれる（図７参照）。
【００１９】
回動支軸３０は、凹部２０の蓋板２８（図９参照）をテンプル７に固定する止めねじを兼ねる頭付きねじ軸からなり、蓋板２８の止め孔２９に挿通した回動支軸（ねじ軸）３０をリング体２６に貫通させ、テンプル７の側面に設けたねじ孔２１にねじ嵌合して固定する。このようにテンプル７の前端部分に組み付けられた係止部材１５の支持アーム部１７は、その係止爪１９が係合溝２３，２４及び２５のひとつに選択的に係合し、かつ、押しばね２７の作用によって係合状態を保持するように付勢されている。
【００２０】
図４は、係止部材１５の係止爪１９がテンプル７の係合溝２３に係合した通常の遠方を見る使用状態を示しており、図１１（ａ）に示すように、テンプル７が前枠４に対して真直に伸びた位置にあって、レンズ９は遠方視の場合の視線とレンズ面とがほぼ直交する傾斜角度（通常、５度〜１０度）になって、遠方用レンズ部９ａが視線のほぼ中央にきている。
【００２１】
一方、近点用レンズ部９ｂを使用して手元の物を見る場合には、図１１（ｂ）及び図１１（ｃ）に示すように、視線が下向きになるので、レンズ９は視線に対してほぼ直交する傾斜角度になるように前方へ傾倒して使用する。このようにレンズ９を前方へ傾倒させるには、次のように操作する。
【００２２】
先ず、図１０（ａ）に示すように、前枠４に固着したよろい５に対して、テンプルを押しばね２７に抗して後方へ引っ張ると、係止爪９が係合溝２３から離脱するので、この離脱状態においてテンプル７を回動支軸３０を支点に少し下方へ回動させて後、引っ張り操作を解除すると、図１０（ｂ）に示すように、押しばね２７の作用で係止爪１９が係合溝２４に係合し、テンプル７が前枠４に対して下方向に一定角度（図示の例では８．０度）傾斜した位置に固定保持される。このような傾斜状態では、図１１（ｂ）に示すように、レンズ９が、遠方視の場合（図１１（ａ）参照）に比べて前方へ８度傾倒し、下向きの視線が近点用レンズ部９ｂのほぼ中央に向き、しかも近点用レンズ部９ｂに対してほぼ直交する状態になるので、目の疲れが少ない。
【００２３】
また、眼鏡を着用する人によって、近点用レンズ部９ｂを適性に使用するためさらにレンズ９の傾斜角度を大きくする必要がある場合、前述と同様にテンプル７の引っ張り操作と下方向への回動操作によって、図１０（ｃ）に示すように、係止爪１９が係合溝２５に係合した位置にテンプル７を前枠４に対して固定保持させると、図１１（ｃ）に示すように、レンズ９が、遠方視の場合（図１１（ａ）参照）に比べて前方へ１６度傾斜した状態で使用することができる。
【００２４】
なお、上述のようにレンズ９を前方へ傾斜した近点用レンズ部９ｂの使用状態から図１１（ａ）に示す通常の遠方を見る使用状態に戻すには、前述と同様にテンプル７を引っ張って、係止爪１９を係合溝２４又は２５から離脱させた状態でテンプル７を上方向へ回動し、係止爪１９が図４に示すように係合溝２３に係合した状態で前枠４とテンプル７を固定保持させればよい。
【００２５】
上述したいずれの使用状態においても、前枠４はテンプル７に対して固定保持され、不測に変位することはない。
【図面の簡単な説明】
【００２６】
【図１】本発明による眼鏡フレームを使用した遠近両用眼鏡の要部平面図である。
【図２】同上の正面図である。
【図３】同上の上下回動機構部の外観を示す斜視図である。
【図４】同上の上下回動機構部の内部を示しており、（ａ）は側面図、（ｂ）は要部横断平面図である。
【図５】同上のよろいを示しており、（ａ）は側面図、（ｂ）は平面図である。
【図６】上下回動機構部に組み付ける係止部材を示しており、（ａ）は側面図、（ｂ）は平面図である。
【図７】上下回動機構部に組み付けるリング体と押しばねを示しており、（ａ）は側面図、（ｂ）は平面図である。
【図８】同上のテンプル前端部を示しており、（ａ）は側面図、（ｂ）は平面図である。
【図９】同上のテンプル前端部の蓋体を示しており、（ａ）は側面図、（ｂ）は平面図である。
【図１０】同上の上下回動機構部の操作順序を示す説明図であり、（ａ）は前枠に対してテンプルの引っ張り状態を示し、（ｂ）及び（ｃ）はテンプルを下方向へ回動して保持固定した状態を示している。
【図１１】同上の遠近両用眼鏡の使用状態を示す説明図であり、（ａ）は遠方用レンズ部を使用する状態を示し、（ｂ）及び（ｃ）は近点用レンズ部を使用する状態を示している。
【符号の説明】
【００２７】
１  眼鏡フレーム
２  レンズ枠
３  ブリッジ
４  前枠
５  よろい
６  ヒンジ
７  テンプル
８  上下回動機構部
９  レンズ
１５  係止ダイ部材
１６  円筒部
１７  支持アーム部
１８  長孔
１９  係止爪
２０  凹部
２１  取付用ねじ孔
２２  側壁面
２３〜２５  係合溝
２６  リング体
２７  押しばね
２８  蓋体
３０  回動支軸（ねじ軸）
【図１】
2006317817.tif 000003
【図２】
2006317817.tif 000004
【図３】
2006317817.tif 000005
【図４】
2006317817.tif 000006
【図５】
2006317817.tif 000007
【図６】
2006317817.tif 000008
【図７】
2006317817.tif 000009
【図８】
2006317817.tif 000010
【図９】
2006317817.tif 000011
【図１０】
2006317817.tif 000012
【図１１】
2006317817.tif 000013